(57)【要約】【課題】画像処理の停止操作を簡潔かつ即時に行うことが可能な画像処理装置を提供する。【解決手段】ＭＦＰ１０では、本体制御部１により複数のジョブを受け付けて、画像入力部２、印刷部１１、通信部７等により各ジョブに応じた画像処理を並列的に実行する。並列的に画像処理が実行されている複数の実行ジョブの一覧リストを表示する際に、その画像処理の停止を指示するための停止ボタンを実行ジョブ毎に設け、操作部５を介して停止ボタンが操作されると、本体制御部１の制御により、操作された停止ボタンに対応する実行ジョブの画像処理を停止させる。【選択図】図１
2008022456.tif 000002
【特許請求の範囲】
【請求項１】
複数のジョブを受け付けて、各ジョブに応じた画像処理を並列的に実行する画像処理手段と、
前記並列的に画像処理が実行されている複数の実行ジョブにつき、その画像処理の停止を指示するための停止指示手段を実行ジョブ毎に有する操作手段と、
前記実行ジョブ毎の停止指示手段のうち停止指示操作が行われた停止指示手段に対応する実行ジョブの画像処理を停止させる制御手段と、
を備えることを特徴とする画像処理装置。
【請求項２】
複数のジョブを受け付けて、これを予約ジョブとして記憶する記憶手段と、
前記予約ジョブの受付順に前記記憶された予約ジョブに応じた画像処理を実行する画像処理手段と、
前記記憶された複数の予約ジョブ毎にその画像処理の実行の停止を指示するための停止指示手段を有する操作手段と、
前記予約ジョブ毎の停止指示手段のうち停止指示操作がなされた停止指示手段に対応する予約ジョブにつき、その画像処理の実行を停止させるか、或いは当該予約ジョブを前記記憶手段から削除する制御手段と、
を備えることを特徴とする画像処理装置。
【請求項３】
前記画像処理の停止は一時停止であり、
前記操作手段は、前記画像処理の停止の確定を指示するための確定指示手段をさらに備え、
前記制御手段は、前記確定指示手段による前記画像処理の停止確定の操作に応じて、前記画像処理手段による画像処理の実行を本停止させることを特徴とする請求項１又は２に記載の画像処理装置。
【請求項４】
前記制御手段は、前記並列的に実行されている複数のジョブのうち、前記操作された停止指示手段に対応する実行ジョブ以外の実行ジョブについては画像処理を継続して実行させることを特徴とする請求項１に記載の画像処理装置。
【請求項５】
前記ジョブに関する情報を表示する表示手段を備え、
前記表示手段は、前記ジョブ毎に前記ジョブの画像処理の停止指示操作を行うための操作画面を表示することを特徴とする請求項１〜４の何れか一項に記載の画像処理装置。
【請求項６】
複数のジョブを受け付けて、各ジョブに応じた画像処理を並列的に実行する画像処理工程と、
前記並列的に画像処理が実行されている複数の実行ジョブにつき、実行ジョブ毎に設けられた画像処理の停止を指示するための停止指示手段が操作されると、当該停止指示操作が行われた停止指示手段に対応する実行ジョブの画像処理を停止させる制御工程と、
を含むことを特徴とする画像処理制御方法。
【請求項７】
複数のジョブを受け付けて、これを予約ジョブとして記憶手段に記憶する記憶工程と、
前記予約ジョブの受付順に前記記憶された予約ジョブに応じた画像処理を実行する画像処理工程と、
前記記憶された複数の予約ジョブにつき、予約ジョブ毎に設けられた画像処理の実行停止を指示するための停止指示手段が操作されると、当該停止指示操作がなされた停止指示手段に対応する予約ジョブにつき、その画像処理の実行を停止させるか、或いは当該予約ジョブを前記記憶手段から削除する制御工程と、
を含むことを特徴とする画像処理制御方法。
【請求項８】
前記画像処理の停止は一時停止であり、
前記制御工程では、前記画像処理の停止の確定を指示するための確定指示手段がさらに操作されると、当該停止確定の操作に応じて前記画像処理の実行を本停止させることを特徴とする請求項６又は７に記載の画像処理制御方法。
【請求項９】
前記制御工程では、前記並列的に実行されている複数のジョブのうち、前記操作された停止指示手段に対応する実行ジョブ以外の実行ジョブについては画像処理を継続して実行させることを特徴とする請求項６に記載の画像処理制御方法。
【請求項１０】
前記ジョブ毎に前記ジョブの画像処理の停止指示操作を行うための操作画面を表示手段上に表示する表示工程を含むことを特徴とする請求項６〜９の何れか一項に記載の画像処理制御方法。
【発明の詳細な説明】
【技術分野】
【０００１】
本発明は、複数のジョブを受け付けて、当該ジョブに応じた画像処理を行う画像処理装置及び画像処理制御方法に関する。
【背景技術】
【０００２】
プリンタ、複写機、ファクシミリ装置又はこれらの複合機（ＭＦＰ：Multi Function Printer）等の画像処理を行う装置（以下、これらを画像処理装置と総称する）では、ジョブと呼ばれる画像処理要求を受け付けてジョブに応じた画像処理を行う。従来から画像処理装置では複数種の画像処理を並列に処理することが可能である。例えば、ある対象画像について印刷処理を実行中に、他の対象画像の読取処理を実行するといったことが可能である。
【０００３】
並列実行中の画像処理のうち、特定の画像処理のみ停止させたい場合、従来は停止対象のジョブを選択した後、当該ジョブの画像処理について停止操作を行うという手順を経ていた（例えば、特許文献１参照）。以下、その操作手順について図１０を参照して説明する。
（１）ジョブの確認
ジョブに応じた画像処理を並列して実行している間、画像処理装置では図１０に示す操作画面ｄ１１が表示されている。ユーザはまず、現在画像処理を実行中のジョブを確認するため、当該操作画面ｄ１１においてジョブ確認ボタンｋ１１を操作する。ジョブ確認ボタンｋ１１の押下により、操作画面ｄ１２に移行する。
【０００４】
（２）ジョブの選択
操作画面ｄ１２では、現在実行中のジョブの一覧リストが表示されている。ユーザはこの一覧リストから停止対象のジョブの選択操作を行う。
（３）停止の指示
ストップボタン（図示せず）を操作すると、選択したジョブの画像処理が一時停止され、操作画面ｄ１２上に確認画面ｄ１３が表示される。
（４）停止確定
確認画面ｄ１３では停止ボタンｋ１３、継続ボタンｋ１４が表示されている。ユーザは、選択したジョブの停止を確定したい場合には停止ボタンｋ１３、ジョブの実行を再開したい場合には継続ボタンｋ１４を操作することとなる。
画像処理装置では、停止ボタンｋ１３の操作に応じて選択されたジョブの画像処理を停止する。
【０００５】
上記手順の他、先に停止ボタンを押させて、その後ジョブの一覧リストを表示、選択されたジョブを停止するという手順（上記の（２）、（３）の順が逆の手順）の場合もある（例えば、特許文献２参照）。
【特許文献１】特開２００２−１１１９３２号公報
【特許文献２】特開２００１−２５１４５４号公報
【発明の開示】
【発明が解決しようとする課題】
【０００６】
何れの手順にしろ、複数のジョブの中からあるジョブの画像処理のみを停止させるためにはジョブ選択、停止指示の２操作が必要となる。よって、ジョブの停止操作を開始してから実際にそのジョブの画像処理が停止するまでに時間差が生じることとなり、この間になされた画像処理は無駄となってしまう。例えば、何百部という大量の印刷を高速で処理している場合、わずか数秒の間にもかなりの枚数の印刷が行われることとなり、不要な印刷物が増えてしまう。
【０００７】
本発明の課題は、画像処理の停止操作を簡潔かつ即時に行うことが可能な画像処理装置を提供することである。
【課題を解決するための手段】
【０００８】
請求項１に記載の発明は、画像処理装置において、
複数のジョブを受け付けて、各ジョブに応じた画像処理を並列的に実行する画像処理手段と、
前記並列的に画像処理が実行されている複数の実行ジョブにつき、その画像処理の停止を指示するための停止指示手段を実行ジョブ毎に有する操作手段と、
前記実行ジョブ毎の停止指示手段のうち停止指示操作が行われた停止指示手段に対応する実行ジョブの画像処理を停止させる制御手段と、
を備えることを特徴とする。
【０００９】
請求項２に記載の発明は、画像処理装置において、
複数のジョブを受け付けて、これを予約ジョブとして記憶する記憶手段と、
前記予約ジョブの受付順に前記記憶された予約ジョブに応じた画像処理を実行する画像処理手段と、
前記記憶された複数の予約ジョブ毎にその画像処理の実行の停止を指示するための停止指示手段を有する操作手段と、
前記予約ジョブ毎の停止指示手段のうち停止指示操作がなされた停止指示手段に対応する予約ジョブにつき、その画像処理の実行を停止させるか、或いは当該予約ジョブを前記記憶手段から削除する制御手段と、
を備えることを特徴とする。
【００１０】
請求項３に記載の発明は、請求項１又は２に記載の画像処理装置において、
前記画像処理の停止は一時停止であり、
前記操作手段は、前記画像処理の停止の確定を指示するための確定指示手段をさらに備え、
前記制御手段は、前記確定指示手段による前記画像処理の停止確定の操作に応じて、前記画像処理手段による画像処理の実行を本停止させることを特徴とする。
【００１１】
請求項４に記載の発明は、請求項１に記載の画像処理装置において、
前記制御手段は、前記並列的に実行されている複数のジョブのうち、前記操作された停止指示手段に対応する実行ジョブ以外の実行ジョブについては画像処理を継続して実行させることを特徴とする。
【００１２】
請求項５に記載の発明は、請求項１〜４の何れか一項に記載の画像処理装置において、
前記ジョブに関する情報を表示する表示手段を備え、
前記表示手段は、前記ジョブ毎に前記ジョブの画像処理の停止指示操作を行うための操作画面を表示することを特徴とする。
【００１３】
請求項６に記載の発明は、画像処理制御方法において、
複数のジョブを受け付けて、各ジョブに応じた画像処理を並列的に実行する画像処理工程と、
前記並列的に画像処理が実行されている複数の実行ジョブにつき、実行ジョブ毎に設けられた画像処理の停止を指示するための停止指示手段が操作されると、当該停止指示操作が行われた停止指示手段に対応する実行ジョブの画像処理を停止させる制御工程と、
を含むことを特徴とする。
【００１４】
請求項７に記載の発明は、画像処理制御方法において、
複数のジョブを受け付けて、これを予約ジョブとして記憶手段に記憶する記憶工程と、
前記予約ジョブの受付順に前記記憶された予約ジョブに応じた画像処理を実行する画像処理工程と、
前記記憶された複数の予約ジョブにつき、予約ジョブ毎に設けられた画像処理の実行停止を指示するための停止指示手段が操作されると、当該停止指示操作がなされた停止指示手段に対応する予約ジョブにつき、その画像処理の実行を停止させるか、或いは当該予約ジョブを前記記憶手段から削除する制御工程と、
を含むことを特徴とする。
【００１５】
請求項８に記載の発明は、請求項６又は７に記載の画像処理制御方法において、
前記画像処理の停止は一時停止であり、
前記制御工程では、前記画像処理の停止の確定を指示するための確定指示手段がさらに操作されると、当該停止確定の操作に応じて前記画像処理の実行を本停止させることを特徴とする。
【００１６】
請求項９に記載の発明は、請求項６に記載の画像処理制御方法において、
前記制御工程では、前記並列的に実行されている複数のジョブのうち、前記操作された停止指示手段に対応する実行ジョブ以外の実行ジョブについては画像処理を継続して実行させることを特徴とする。
【００１７】
請求項１０に記載の発明は、請求項６〜９の何れか一項に記載の画像処理制御方法において、
前記ジョブ毎に前記ジョブの画像処理の停止指示操作を行うための操作画面を表示手段上に表示する表示工程を含むことを特徴とする。
【発明の効果】
【００１８】
請求項１、５、６、１０に記載の発明によれば、実行ジョブ毎に設けられた停止指示手段により、停止対象の実行ジョブの指定操作と、実行ジョブの停止操作を一時に行うことができる。よって、簡潔かつ迅速に画像処理の停止操作を行うことができる。停止操作により即時に実行ジョブの画像処理を停止するので、停止操作の間に停止対象の実行ジョブにつき、無駄な画像処理が進行することを防ぐことができる。
【００１９】
請求項２、７に記載の発明によれば、予約ジョブ毎に設けられた停止指示手段により、停止対象の予約ジョブの指定操作と、予約ジョブの停止操作を一時に行うことができる。よって、簡潔かつ迅速に予約ジョブについて行われようとしている画像処理の停止操作を行うことができる。停止操作によって即時に予約ジョブについて行おうとしていた画像処理を停止するか、或いは予約ジョブ自体を消去するので、停止操作の間に停止対象の予約ジョブにつき、無駄な画像処理が進行することを防ぐことができる。
【００２０】
請求項３、８に記載の発明によれば、停止操作によって一旦画像処理を停止しておき、その後の確定操作によって本停止させることができる。よって、画像処理の進行を止めつつ自由度の高い停止操作を行うことができる。
【００２１】
請求項４、９に記載の発明によれば、停止操作が行われていない他の実行ジョブについては、画像処理を継続することができる。よって、他の実行ジョブの進行を妨げることなく、所望の実行ジョブについての停止させることができる。
【発明を実施するための最良の形態】
【００２２】
まず、構成を説明する。
図１に、画像処理装置であるＭＦＰ１０の内部構成を示す。ＭＦＰ１０は、コピー、印刷、データ保存、ファクシミリ通信等の多機能を備え、これら機能により出力対象画像（以下、対象画像という）について画像処理を行うものである。ここでいう画像処理とは、例えば対象画像の読取処理、そのデータのメモリへの保存処理、対象画像の印刷処理、対象画像を送信又は受信する通信処理（ファクシミリ通信、データ通信含む。）等、対象画像を用いて行う処理、或いは対象画像自体について行う処理をいう。
図１に示すように、ＭＦＰ１０は、本体制御部１、画像入力部２、プログラムメモリ３、画像メモリ４、操作部５、表示部６、通信部７、データ処理部８、印刷制御部９、印刷部１１を備えて構成されている。また、ＭＦＰ１０には後処理装置２０が接続されている。
【００２３】
本体制御部１は、ＣＰＵ（Central Processing Unit）、ＲＡＭ（Random Access Memory）等から構成されている。本体制御部１は、プログラムメモリ３に格納されている各種処理プログラムに従って、対象画像の読取、データの保存、印刷等のＭＦＰ１０全体の動作を制御する。例えば、操作部５から入力される操作信号に従って、コピー、プリンタ、スキャナのモードを切り替え、原稿の読取、画像メモリ４への対象画像のデータ保存、印刷部１１への対象画像のデータ出力等の処理制御を行う。なお、印刷に際しては印刷制御部９と連携し、その動作を制御する。
【００２４】
本体制御部１は、ＭＦＰ１０における画像処理の実行にあたりジョブの受付を行う。ジョブとは画像処理、後処理等の実行要求、当該実行要求に応じて行う一連の作業を総称するものである。具体的には画像処理対象の対象画像の指定情報、印刷条件等の画像処理に係る条件の指示情報等、当該指示情報に応じて行う画像処理、後処理の一連の処理を指す。本体制御部１は受け付けた複数のジョブを個々に識別するため、各ジョブに識別情報であるジョブＩＤを付し、このジョブＩＤを用いてジョブ管理を行う。ジョブ管理は、本体制御部１のＲＡＭ内に記憶された実行ジョブリスト１ａ（図２参照）、予約ジョブリスト１ｂ（図３参照）を用いて行う。
【００２５】
実行ジョブリスト１ａは、現在画像処理を実行中のジョブを管理するためのリストである。以下、この画像処理実行中のジョブを実行ジョブという。実行ジョブリスト１ａには、図２に示すように、ジョブＩＤに対応付けて、実行ジョブに対応する画像処理のモード、画像処理の処理内容、現在の状態の各項目情報が記憶されている。また、実行ジョブの停止操作を行う際には実行ジョブ毎に停止ボタンが設けられるので、実行ジョブリスト１ａではジョブＩＤに対応付けて各実行ジョブの停止ボタンに対応する操作コードの情報が記憶されている。停止ボタン、操作コード等については後述する。
【００２６】
一方、予約ジョブリスト１ｂは、画像処理を待機中のジョブを管理するためのリストである。以下、この待機中のジョブを予約ジョブという。予約ジョブリスト１ｂには、図３に示すように、ジョブＩＤに対応付けて、予約ジョブに対応する画像処理のモード、画像処理の処理内容の各項目情報が記憶されている。なお、これら予約ジョブの項目情報は予約順、つまりジョブの受付順に記憶されるものである。
【００２７】
本体制御部１は新規ジョブを受け付けると、予約ジョブリスト１ｂの最後の予約順の欄に当該新規ジョブに係る項目情報を書き込む。また、実行ジョブの画像処理が終了すると、当該実行ジョブに係る項目情報を実行ジョブリスト１ａから削除する。そして、予約ジョブリスト１ｂのうち、予約順が最先の予約ジョブに係る項目情報を実行ジョブリスト１ａに書き込むとともに、予約ジョブリスト１ｂから当該予約ジョブに係る項目情報を削除する。すなわち、実行ジョブについての画像処理が終了する毎に予約ジョブリスト１ｂから実行ジョブリスト１ａへ予約ジョブの項目情報を書き換えて順次リスト１ａ、１ｂを更新する。
【００２８】
画像入力部２は、スキャナを備えて原稿画像を読み取り、その画像データを生成するものである。生成された画像データは本体制御部１の制御により画像メモリ４又は印刷制御部９等に転送される。
【００２９】
プログラムメモリ３は、各種処理プログラムの他、プログラムの実行に必要なパラメータやデータ等を記憶している。
【００３０】
画像メモリ４は、ＨＤ（Hard disk）等の大容量メモリである。画像メモリ４は、本体制御部１の制御に従って対象画像のデータを記憶するとともに、当該データを出力する。
【００３１】
操作部５は、タッチパネルの他、操作キー（ハードキー）群を備えて構成されている。操作部５は、タッチパネルや操作キーが操作されると、その操作に応じた操作信号を生成して本体制御部１に出力する。
【００３２】
タッチパネルの場合、本体制御部１は操作画面上に表示する操作ボタン毎に、その操作画面上における操作ボタンの位置情報と当該操作ボタンに割り当てた操作コード及びその操作内容との対応を示す操作テーブルをＲＡＭ内に備えておく。操作部５はタッチパネルにおいて押下操作されたその位置情報を操作信号として本体制御部１に出力する。本体制御部１はその位置情報に対応する操作コードを判別し、判別した操作コードを元に前記コードテーブルに基づいて操作内容を認識する。
【００３３】
表示部６は、タッチパネルと一体に構成されたディスプレイを備えている。表示部６は、本体制御部１の指示に従って印刷条件の設定を行うための操作画面やジョブの一覧リストを含む操作画面等の各種操作画面を前記ディスプレイ上に表示させる。
【００３４】
通信部７は、ネットワークインターフェイスカード、ＦＡＸモデム等の通信用インターフェイスを備え、ネットワーク上の外部装置とデータ通信、ファクシミリ通信を行う。
【００３５】
データ処理部８は、対象画像のデータに対して、階調変換処理、拡大／縮小処理等の各種データ処理を施す。また、データ処理部８はスクリーン処理を施し、印刷用の画像データを生成する。
【００３６】
印刷制御部９は、ＣＰＵ、ＲＡＭ等により構成されており、本体制御部１からの指示に従って印刷部１１の印刷動作を制御するものである。例えば、印刷動作の開始、停止、終了の動作制御の他、印刷用の画像データの印刷部１１への出力制御を行う。また、印刷制御部９は定期的に、或いは本体制御部１からの要求を受けて印刷部１１の動作状態を検出し、これをステータス情報として本体制御部１に出力する。
【００３７】
印刷部１１は、入力された印刷用の画像データに基づいて記録用紙上に画像形成を行う。印刷部１１の印刷方式としては、例えば電子写真方式、インクジェット方式等、何れの印刷方式を採用してもよい。電子写真方式では、レーザ光源から感光ドラム上にレーザ光を照射して露光を行い、静電潜像を形成する。これに現像部がトナーを付着させてできたトナー像を記録用紙に転写して画像形成を行う。
【００３８】
後処理装置２０は、本体制御部１の制御に従い、印刷部１１から出力された記録用紙（画像形成されているもの）に対し、各種後処理を施す。後処理としては、パンチ処理、中綴じ処理、ホチキス処理、製本処理等の種々の処理が挙げられる。
【００３９】
次に、上記ＭＦＰ１０の動作について説明する。
図４は、ＭＦＰ１０の本体制御部１とプログラムメモリ３に記憶されたプログラムとの協働により実行される停止処理を示すフローチャートである。
図４に示すように、ＭＦＰ１０ではまず本体制御部１によりジョブの受付を行う（ステップＳ１）。ジョブの受付は、表示部６によりタッチパネル上に印刷条件の設定を行うための操作画面を表示させ、この操作画面における印刷条件の入力を受けることにより行う。ジョブの受付は、このように操作部５のタッチパネルを介して行うこととしてもよいし、通信部７を介してユーザ端末から印刷要求とともに対象画像のデータを受け取ることにより行うこととしてもよい。受け付けた新規ジョブは予約ジョブとして予約ジョブリスト１ｂに追加する。
【００４０】
次に、本体制御部１は画像入力部２や通信部７の動作状態を検出するとともに、印刷制御部９からステータス情報を取得する。検出結果やステータス情報に基づいて予約ジョブリスト１ｂ内の予約ジョブの実行が可能と判断すると、これを実行ジョブとして予約ジョブリスト１ｂから実行ジョブリスト１ａに書き換える。例えば、予約ジョブの画像処理が印刷処理であり、印刷部１１は待機状態であることを示すステータス情報が取得された場合には、当該予約ジョブを実行ジョブリスト１ａに書き換える。そして、当該実行ジョブの画像処理の処理内容を解析し、画像処理の実行制御を開始する。予約ジョブの処理内容が異なる画像処理であって並行処理が可能であれば、予約ジョブリスト１ｂの予約ジョブを順次実行ジョブリスト１ａに追加して、当該複数の実行ジョブの画像処理を並行して実行する（ステップＳ２）。
【００４１】
このとき、本体制御部１は、表示部６により表示させていた操作画面において、現在画像処理中の実行ジョブの一覧リストを表示させる。また、この一覧リストにおいて表示された実行ジョブ毎に当該実行ジョブについて現在実行中の画像処理を停止操作するための停止ボタンを表示させる（ステップＳ３）。
図５に、その操作画面例を示す。
図５に示す操作画面ｄ２では、印刷条件の入力を行うための入力領域ｄ２１が設けられているとともに、実行ジョブの一覧リストｄ２２が表示されている。
一覧リストｄ２２では、並行処理中の実行ジョブ毎に画像処理モード、処理内容が表示されているとともに、ジョブＩＤ「０００３」の実行ジョブについては停止ボタンｋ２１、ジョブＩＤ「０００４」の実行ジョブについては停止ボタンｋ２２が表示されている。この停止ボタンｋ２１、ｋ２２の表示にあたり、本体制御部１は実行ジョブリスト１ａの各実行ジョブのジョブＩＤに対応付けて、当該実行ジョブに対応する停止ボタンｋ２１、ｋ２２の操作コードの情報を書き込む。
【００４２】
画像処理の実行中に上記停止ボタンｋ２１、ｋ２２の押下操作が行われると、操作部５では押下操作された停止ボタンｋ２１又はｋ２２の操作信号を本体制御部１に出力する。  本体制御部１では、当該操作信号の入力により操作画面ｄ２において停止ボタンｋ２１又はｋ２２の押下操作がなされたと判別すると（ステップＳ４；Ｙ）、押下された停止ボタンｋ２１又はｋ２２に対応するジョブＩＤを取得する（ステップＳ５）。すなわち、操作信号から操作コードを判別し、実行ジョブリスト１ａを参照して操作コードに対応する実行ジョブのジョブＩＤを取得する。
【００４３】
ここでは、操作画面ｄ２において停止ボタンｋ２１が操作され、プリンタモードによる印刷処理を実行中の実行ジョブを示すジョブＩＤ「０００３」を取得したとして説明を行う。
本体制御部１では取得したジョブＩＤ「０００３」に対応する実行ジョブにつき、現在実行中の印刷処理の一時停止を指示する指示情報を生成して印刷制御部９に出力する。印刷制御部９では、本体制御部１からの指示情報を受けて印刷部１１による印刷動作を一時停止させる（ステップＳ６）。なお、停止ボタンｋ２２が操作されていない実行ジョブについては、本体制御部１は特に制御は行わずに画像処理を継続させる。
【００４４】
一方、本体制御部１では表示部６により操作画面ｄ２上に、図６に示すような確認画面ｄ３を表示させる。
図６に示すように確認画面ｄ３では、確定ボタンｋ３１、継続ボタンｋ３２が表示されており、実行ジョブの停止を確定するか否かを確認するメッセージが表示されている。ユーザは本停止する場合には確定ボタンｋ３１を操作し、実行ジョブの一時停止を解除する場合には継続ボタンｋ３２を操作する。
【００４５】
本体制御部１は、操作部５から確定ボタンｋ３１の操作信号を受けると、画像処理の停止が確定したと判断し（ステップＳ７；Ｙ）、実行ジョブの印刷処理を本停止させる指示情報を印刷制御部９に出力する。印刷制御部９ではこの指示情報を受けて印刷部１１における印刷動作を本停止させる。印刷部１１では一時停止していた印刷処理のリセット動作を開始し、感光ドラムのクリーニング等を行う。一方、本体制御部１では、本停止した実行ジョブを実行ジョブリスト１ａから削除する（ステップＳ８）。
【００４６】
これに対し、継続ボタンｋ３２の操作信号を受けた場合（ステップＳ７；Ｎ）、本体制御部１は一時停止中の実行ジョブについて印刷処理再開を指示する指示情報を生成し、印刷制御部９に出力する。印刷制御部９はこの指示情報を受けて、印刷部１１による印刷処理の一時停止を解除し、当該印刷処理を再開させる（ステップＳ９）。
【００４７】
以上のように、本実施形態によれば、並行処理中の実行ジョブに対し、停止ボタンを実行ジョブ毎に設ける。停止ボタンｋ２１、ｋ２２の操作により、停止対象の実行ジョブの指定操作と実行ジョブの停止指示操作を一時に行うことができる。また、停止ボタンｋ２１、ｋ２２の操作に応じて即座に実行ジョブについて実行中の画像処理を停止するので、停止操作の間に無駄な画像処理が進行することを防止することができる。
【００４８】
また、停止ボタンｋ２１、ｋ２２の操作による停止は、一時停止であり、その後に確定ボタンによって行う確定操作によって実行ジョブについての画像処理を本停止する。よって、とりあえず停止ボタンｋ２１、ｋ２２を操作して画像処理の進行を止めておき、その後画像処理を本停止するか継続するかを検討することができるので、画像処理の進行を止めつつ自由度の高い操作を行うことができる。
【００４９】
また、停止ボタンｋ２１、ｋ２２が操作されていない他の実行ジョブについては、そのまま画像処理を継続するので、他の実行ジョブの進行を妨げることなく、所望の実行ジョブについてのみ停止させることができる。
【００５０】
なお、上記実施形態は本発明の好適な一例であり、これに限定されない。
例えば、上記実施形態ではタッチパネル上に停止ボタンｋ２１、ｋ２２の画像を表示させる場合を説明したが、停止ボタンｋ２１、ｋ２２が実行ジョブ毎に停止動作が割り当てられたハードキーである場合も同様の処理が可能である。
【００５１】
また、確定ボタンｋ３１による確定操作によって画像処理を本停止することとしたが、これに限らず、停止ボタンｋ２１又はｋ２２が操作された時点で一時停止ではなく、本停止する構成としてもよい。
【００５２】
また、上記実施形態では並列処理していた実行ジョブについて画像処理を停止する例を説明したが、予約ジョブについて同様の処理を行うこととしてもよい。
この場合、ＭＦＰ１０では図７に示す停止処理を実行する。
【００５３】
図７に示すように、ＭＦＰ１０では本体制御部１によりジョブの受付を行い、受け付けたジョブを予約ジョブとして予約ジョブリスト１ｂに書き込む（ステップＳ１１）。次いで、予約ジョブの確認の指示操作がなされると、本体制御部１は予約ジョブリスト１ｂに基づいて予約ジョブの一覧リストを操作画面上に表示させる。また、この一覧表示において、予約ジョブによる画像処理の停止指示操作を行うための停止ボタンを予約ジョブ毎に表示させる（ステップＳ１２）。
【００５４】
図８に、その操作画面例を示す。
図８に示す操作画面ｄ４では、一覧表示リストｄ４１において予約ジョブのジョブＩＤ、画像処理モード、画像処理内容等が表示されているとともに、その予約ジョブ毎に停止ボタンｋ４１、ｋ４２が表示されている。本体制御部１では予約ジョブリスト１ｂにおいてこの表示した停止ボタンｋ４１、ｋ４２の操作コードを対応する予約ジョブのジョブＩＤに関連付けて書き込む。なお、この操作画面ｄ４を表示している間にも、本体制御部１は実行ジョブについて実行していた画像処理が終了すると、一覧表示リストｄ４１に表示されている先頭の予約ジョブから順に実行ジョブに繰り上げてその画像処理の実行を開始する。
【００５５】
上記操作画面ｄ４において、何れかの停止ボタンｋ４１又はｋ４２が押下操作されると（ステップＳ１３；Ｙ）、操作部５は当該押下操作された停止ボタンｋ４１又はｋ４２の操作信号を生成して本体制御部１に出力する。ここでは、停止ボタンｋ４１が操作され、その操作信号が本体制御部１に出力されたこととする。本体制御部１では操作部５から入力された操作信号に対応するジョブＩＤを予約ジョブリスト１ｂから取得する（ステップＳ１４）。すなわち、操作信号が示す操作コードを判別し、当該操作コードに対応するジョブＩＤを予約ジョブリスト１ｂから取得する。そして、当該ジョブＩＤに対応する予約ジョブについて行おうとしている画像処理を一時停止する（ステップＳ１５）。図７に示す例では、停止ボタンｋ４１が操作された予約ジョブについて行おうとしていたプリンタモードの画像処理を一時停止させる。すなわち、実行ジョブについての画像処理が終了した後、停止ボタンｋ４１が操作された予約ジョブを実行ジョブリスト１ａに書き換えを行う制御を停止する。
【００５６】
次いで、本体制御部１は操作画面ｄ４上に停止を確定するか否かを確認するための確認画面ｄ５を表示部６により表示させる。確認画面ｄ５では、図９に示すように確定ボタンｋ５１、継続ボタンｋ５２が表示されている。ユーザは予約ジョブの一時停止を確定する場合は確定ボタンｋ５１を操作し、予約ジョブの一時停止を解除する場合は継続ボタンｋ５２を操作する。
【００５７】
本体制御部１では操作部５から確定ボタンｋ５１の操作信号が入力されると（ステップＳ１６；Ｙ）、予約ジョブについて一時停止していた画像処理を本停止し、当該予約ジョブを予約ジョブリスト１ｂから削除する（ステップＳ１７）。一方、継続ボタンｋ５２の操作信号が入力された場合（ステップＳ１６；Ｎ）、予約ジョブについて行おうとしていた画像処理の一時停止を解除する（ステップＳ１８）。すなわち、当該予約ジョブについては実行ジョブの画像処理が終了次第、実行ジョブリスト１ａに追加されてその画像処理が実行されることとなる。
【００５８】
以上の処理の実行により、予約ジョブについても予約ジョブ毎に停止ボタンｋ４１、ｋ４２を設けることにより、簡潔かつ迅速に画像処理の停止操作を行うことができる。停止ボタンの操作によりとりあえず、画像処理は一時停止とするので、予約ジョブについての画像処理を即座に停止させ、操作中に予約ジョブが実行ジョブとなって画像処理が開始されることを防止することができる。
【図面の簡単な説明】
【００５９】
【図１】本実施形態におけるＭＦＰの構成を示す図である。
【図２】実行ジョブリストの一例を示す図である。
【図３】予約ジョブリストの一例を示す図である。
【図４】ＭＦＰにより実行される停止処理を示すフローチャートである。
【図５】実行ジョブの一覧リストが表示された操作画面例を示す図である。
【図６】停止についての確認画面例を示す図である。
【図７】他の実施例に係る停止処理を説明するフローチャートである。
【図８】予約ジョブの一覧リストが表示された操作画面例を示す図である。
【図９】停止についての確認画面例を示す図である。
【図１０】従来の停止操作の手順を説明する画面遷移図である。
【符号の説明】
【００６０】
１０  ＭＦＰ
１  本体制御部
１ａ  実行ジョブリスト
１ｂ  予約ジョブリスト
２  画像入力部
３  プログラムメモリ
４  画像メモリ
５  操作部
ｋ２１、ｋ２２  停止ボタン
ｋ３１  確定ボタン
６  表示部
７  通信部
８  データ処理部
９  印刷制御部
１１  印刷部
２０  後処理装置
【図１】
2008022456.tif 000003
【図２】
2008022456.tif 000004
【図３】
2008022456.tif 000005
【図４】
2008022456.tif 000006
【図５】
2008022456.tif 000007
【図６】
2008022456.tif 000008
【図７】
2008022456.tif 000009
【図８】
2008022456.tif 000010
【図９】
2008022456.tif 000011
【図１０】
2008022456.tif 000012